(57)【要約】【課題】高い審美性を有する書複製品を低廉かつオンデマンドで作成・販売することができ、書人気の低迷を打開しうる書複製品の作成・販売方法の提供を目的とする。【解決手段】本発明は、背景画像データを取得する背景取得ステップ（生背景画像データを取得する背景取得ステップ及び生背景画像データに対して画像処理を施す画像処理ステップ）、背景画像データにより原版用紙に背景画像を印刷し、背景付原版用紙を作成する背景印刷ステップ、背景付原版用紙に書家が書を記入し、原版を作成する書入ステップ、原版をスキャナーで取り込み、原版画像データを取得する原版取得ステップ、原版画像データにより複写用紙に原版画像を印刷し、書複製品を作成する複製印刷ステップ、書複製品をユーザーに発送する発送ステップ、書複製品の代金をユーザーに請求する課金ステップを有する書複製品の作成・販売方法である。【選択図】図１
2009080754.tif 000002
【特許請求の範囲】
【請求項１】
背景画像データを取得する背景取得ステップと、
この背景画像データにより原版用紙に背景画像を印刷し、背景付原版用紙を作成する背景印刷ステップと、
この背景付原版用紙に書家が書を記入し、原版を作成する書入ステップと、
この原版をスキャナーで取り込み、原版画像データを取得する原版取得ステップと、
この原版画像データにより複写用紙に原版画像を印刷し、書複製品を作成する複製印刷ステップと、
この書複製品をユーザーに発送する発送ステップと、
書複製品の代金をユーザーに請求する課金ステップと
を有する書複製品の作成・販売方法。
【請求項２】
上記原版取得ステップにより取得した複数の原版画像データに関する情報をインターネットを介して提供する原版情報提供ステップを有し、
ユーザーからの注文に応じ、指定された原版画像データに基づいて上記複製印刷ステップ、発送ステップ及び課金ステップを行う請求項１に記載の書複製品の作成・販売方法。
【請求項３】
背景画像データを取得する背景取得ステップと、
書家が白紙に記入した書をスキャナーで取り込み、書画像データを取得する書取得ステップと、
上記背景取得ステップにより取得した複数の背景画像データ及び書取得ステップにより取得した複数の書画像データに関する情報をインターネットを介して提供する要素情報提供ステップと、
ユーザーからの注文に応じ、指定された背景画像データ及び書画像データを合成し、合成画像データを生成する画像合成ステップと、
この合成画像データにより複写用紙に合成画像を印刷し、書複製品を作成する複製印刷ステップと、
この書複製品をユーザーに発送する発送ステップと、
書複製品の代金をユーザーに請求する課金ステップと
を有する書複製品の作成・販売方法。
【請求項４】
上記背景取得ステップが、
生背景画像データを取得する生背景取得ステップと、
この生背景画像データに対して画像処理を施し、背景画像データを生成する画像処理ステップとを有する請求項１、請求項２又は請求項３に記載の書複製品の作成・販売方法。
【請求項５】
上記複製印刷ステップにおいて、
複写用紙としてインク受像層が積層された和紙を用い、
カラーインクジェットプリンターを用いて印刷する請求項１から請求項４のいずれか１項に記載の書複製品の作成・販売方法。
【請求項６】
上記複製印刷ステップで作成した書複製品にその書家が捺印する押印ステップを有する請求項１から請求項５のいずれか１項に記載の書複製品の作成・販売方法。
【発明の詳細な説明】
【技術分野】
【０００１】
本発明は、書複製品の作成・販売方法に関し、詳細には高い審美性を有する書複製品を低廉かつオンデマンドで作成・販売することができる方法に関するものである。
【背景技術】
【０００２】
従来から、書画等の美術品は、鑑賞者に安らぎを与え、住居やオフィスの雰囲気を大きく変える効果を有している。しかし、著名な書家の著作物である名筆は通常は美術館や寺院などで鑑賞するしかなく、今日の書家の書でも非常に高価であり、一般家庭にインテリア装飾として普及することは困難な状況にある。加えて、書は、その審美判断が難しく、通常和紙等の白紙に墨で書かれたモノトーンを基調とすること等のため、今日的に人気が低迷する傾向にある。
【０００３】
かかる書の希少性や価格性を改善する手段として、書の複製品が考えられる。この書の複製としては、従来、模写や複写などが行われている。しかし、模写による複製は、複製者に高度な技術を要し、製作数や価格の低下に制限がある。また、複写による複製は、複写機を用いるため、価格性は改善できるが、モノトーンを基調とするため、原版に比べて審美性が格段に低下してしまうというデメリットがある。さらに、これらの書の複製品では、書の審美的な幅を改変するものでないため、上述の人気の低迷を抑止することが困難である。
【０００４】
また、上記書複製品の販売手法としては、従来、専門店での展示販売やインターネットを利用した販売などが存在する。かかる従来の書複製品の販売手法では、多くの既製品を在庫しておく必要があり、その既製品は、さほど活発ではない取引性を考慮すると需要者の好みの最大公約数的な選択にならざるをえない。しかし、書などの美術品の嗜好は個人差が大きく、このような従来の複製品の販売手法では需要者が嗜好に合致する選択をすることができない場合がある。
【０００５】
一方、このような複製品販売の不都合を解消すべく、絵画、書、版画、写真等の美術品の複製をインターネットを利用してオンデマンドに作成・販売するシステムが開発されている（例えば、特開２００１−３３１６６２号公報、特開２００２−１８９９０２号公報等参照）。しかし、かかる複製品の作成・販売方法では、需要者の選択性や在庫による不経済性は解消されうるが、上述の書複製品の審美性の低下や人気の低迷を解消することができない。
【特許文献１】特開２００１−３３１６６２号公報
【特許文献２】特開２００２−１８９９０２号公報
【発明の開示】
【発明が解決しようとする課題】
【０００６】
本発明はこれらの不都合に鑑みてなされたものであり、高い審美性を有する書複製品を低廉かつオンデマンドで作成・販売することができ、その結果、書に関する人気の低迷を打開しうる書複製品の作成・販売方法の提供を目的とするものである。
【課題を解決するための手段】
【０００７】
上記課題を解決するためになされた発明は、
背景画像データを取得する背景取得ステップと、
この背景画像データにより原版用紙に背景画像を印刷し、背景付原版用紙を作成する背景印刷ステップと、
この背景付原版用紙に書家が書を記入し、原版を作成する書入ステップと、
この原版をスキャナーで取り込み、原版画像データを取得する原版取得ステップと、
この原版画像データにより複写用紙に原版画像を印刷し、書複製品を作成する複製印刷ステップと、
この書複製品をユーザーに発送する発送ステップと、
書複製品の代金をユーザーに請求する課金ステップと
を有する書複製品の作成・販売方法である。
【０００８】
当該書複製品の作成・販売方法は、景取得ステップによって背景画像データを取得し、背景印刷ステップによって背景画像データを原版用紙に印刷し、書入ステップによって背景付原版用紙に書家が書を記入することで、複製のための原版を作成する。そのため、当該書複製品の作成・販売方法により作成した書の原版又はその複製品は、書の背景に風景等の画像が印刷されており、その上にその背景にマッチした書が記入されているため、従来のモノトーンを基調とする書と対比して書の審美的な幅が格段に向上する。加えて、当該書複製品の作成・販売方法は、原版取得ステップによって原版画像データを取得し、複製印刷ステップによって複写用紙に原版画像を印刷することで、書複製品が低廉に作成されるが、上述のように複製原版が背景を印刷した台紙に書が記入されているため、モノトーンを基調とする従来の書と対比して複製による審美性の低下が抑制される。特に、背景画像をカラー印刷し、その上に墨書した場合、書部分が際だち、審美性及び品質が格段に高い書複製品を作成することができる。
【０００９】
当該書複製品の作成・販売方法において、上記原版取得ステップにより取得した複数の原版画像データに関する情報をインターネットを介して提供する原版情報提供ステップを有しており、ユーザーからの注文に応じ、指定された原版画像データに基づいて複製印刷ステップ、発送ステップ及び課金ステップを行うとよい。このように原版画像データに関する情報をインターネットを介して提供する原版情報提供ステップを有し、ユーザーからの注文に応じ、指定された原版画像データに基づき複製印刷ステップ、発送ステップ及び課金ステップを行うと、販売者は書複製品を予め用意せずにオンデマンドで販売することができ、かつユーザーは多くのサンプルデータから嗜好に合致した書複製品を選択することができ、その結果、上記書複製品の高い審美性と相俟って、書の人気の回復に寄与することができる。
【００１０】
上記課題を解決するためになされた別の発明は、
背景画像データを取得する背景取得ステップと、
書家が白紙に記入した書をスキャナーで取り込み、書画像データを取得する書取得ステップと、
上記背景取得ステップにより取得した複数の背景画像データ及び書取得ステップにより取得した複数の書画像データに関する情報をインターネットを介して提供する要素情報提供ステップと、
ユーザーからの注文に応じ、指定された背景画像データ及び書画像データを合成し、合成画像データを生成する画像合成ステップと、
この合成画像データにより複写用紙に合成画像を印刷し、書複製品を作成する複製印刷ステップと、
この書複製品をユーザーに発送する発送ステップと、
書複製品の代金をユーザーに請求する課金ステップと
を有する書複製品の作成・販売方法である。
【００１１】
当該書複製品の作成・販売方法は、上記書複製品の作成・販売方法と同様に、高い審美性及び低廉性を有する書複製品を作成・販売することができる。加えて、当該書複製品の作成・販売方法は、複数の背景画像データ及び複数の書画像データに関する情報をインターネットを介して提供し、ユーザーからの注文に応じ、指定された背景画像データ及び書画像データを合成し、複写用紙に合成画像データを印刷することで書複製品を作成することから、ユーザーは背景画像及び書画像毎に選択することができ、その結果ユーザーの嗜好にきめ細やかに合致する書複製品を作成・販売することができる。
【００１２】
上記背景取得ステップは、生背景画像データを取得する生背景取得ステップと、この生背景画像データに対して画像処理を施し、背景画像データを生成する画像処理ステップとを有するとよい。このように背景取得ステップとして生背景取得ステップと画像処理ステップとを有することで、書の背景として適切な背景画像データを取得することができ、その結果、作成される書複製品の審美性及び品質を向上することができる。
【００１３】
上記複製印刷ステップにおいて、複写用紙としてインク受像層が積層された和紙（インクジェットプリンター対応和紙）を用い、カラーインクジェットプリンターを用いて印刷するとよい。このように複写用紙としてインクジェットプリンター対応和紙を用い、カラーインクジェットプリンターで印刷することで、上述のような背景を有する書の審美性の低下を抑制しつつ高品位に複製することができる。
【００１４】
上記複製印刷ステップで作成した書複製品にその書家が捺印する押印ステップを有するとよい。当該書複製品の作成・販売方法で作成する書複製品は従来の絵画複製品であるリトグラフやシルクスクリーン等と同様の美術的価値を有するため、当該方法のように複製品にその書家が捺印する押印ステップを有することで、得られる書複製品の著作性及び美術的価値を高めることができる。
【発明の効果】
【００１５】
以上説明したように、本発明の書複製品の作成・販売方法は、高い審美性を有する書複製品を低廉かつオンデマンドで作成・販売することができ、その結果、書に関する人気の低迷を打開することが可能となる。
【発明を実施するための最良の形態】
【００１６】
以下、適宜図面を参照しつつ本発明の実施の形態を詳説する。図１は本発明の一実施形態に係る書複製品の作成・販売方法を示すフロー図、図２は図１の書複製品の作成・販売方法のシステム構成例を示すブロック図、図３は図１の書複製品の作成・販売方法の背景取得ステップで取得した生背景画像を示す模式図、図４は図１の書複製品の作成・販売方法の画像処理ステップで生成した背景画像を示す模式図、図５は図１の書複製品の作成・販売方法の原版取得ステップで取得した原版画像を示す模式図、図６は図１の書複製品の作成・販売方法とは異なる形態に係る書複製品の作成・販売方法を示すフロー図、図７は図６の書複製品の作成・販売方法の書取得ステップで取得した書画像を示す模式図、図８図６の書複製品の作成・販売方法の画像合成ステップで合成した合成画像を示す模式図である。
【００１７】
図１の書複製品の作成・販売方法は、生背景取得ステップＳＴＰ１、画像処理ステップＳＴＰ２、背景印刷ステップＳＴＰ３、書入ステップＳＴＰ４、原版取得ステップＳＴＰ５、原版情報提供ステップＳＴＰ６、複製印刷ステップＳＴＰ７、発送ステップＳＴＰ８及び課金ステップＳＴＰ９を有している。この生背景取得ステップＳＴＰ１と画像処理ステップＳＴＰ２とで上記背景取得ステップを構成する。
【００１８】
当該書複製品の作成・販売方法を実現するためのシステム構成例としては、図２に示すようにサーバー１、データベース２、コンピューター３、スキャナー４、プリンター５、デジタルカメラ６等を備えており、インターネットＸを介して購入希望者である複数のユーザーＵ１、Ｕ２のネットコンピューターからアクセス可能に接続されている。
【００１９】
生背景取得ステップＳＴＰ１は、図３に示すような生背景画像データを取得する工程である。この生背景取得ステップＳＴＰ１における生背景画像データの取得方法としては、特に限定されず、例えば（ａ）風景等をデジタルカメラ６により撮影すること、（ｂ）印刷物をスキャナー４により取り込むこと等が採用される。この生背景取得ステップＳＴＰ１で取得する生背景画像データとしては、四季の風景や景物等が好ましく、特に書入ステップＳＴＰ４で書き入れる書の内容と関連するような風物（特にモチーフとなるような風物）が好ましい。このように書の内容と関連するような風物を選択することで、書とその背景画像とが渾然一体となって書の美術的イメージを増幅し、作成される書複製品の審美性を向上することができる。また、生背景取得ステップＳＴＰ１で取得する生背景画像としては、カラー画像が好ましい。このようにカラー画像を書の背景とすることで、作成される書複製品の色相及び彩度を向上し、作成される書複製品の審美性の向上に寄与する。
【００２０】
画像処理ステップＳＴＰ２は、生背景取得ステップＳＴＰ１で取得した生背景画像データに対して画像処理を施し、図４に示すような背景画像データを生成する工程である。このように画像処理ステップＳＴＰ２を有することで、書の背景として適切な背景画像データを取得することができ、その結果、書とのバランスが良好な背景や書を際立たせる背景を取得することができる。この画像処理ステップＳＴＰ２で施す画像処理としては、特に限定されるものではないが、例えば（ａ）明暗、色等の修正処理、（ｂ）特定の範囲を切り抜くトリミング処理、（ｃ）明るさ、コントラスト等の調整処理、（ｄ）画像の色を変換する色変換処理、（ｅ）画像の輪郭等のぼかし処理などがある。書き入れられる書とのバランスを考慮すると、彩度やコントラスト等を若干低下される処理や特定の色を抽出する処理などが好ましく、得られる書複製品の審美性を向上させることができる。なお、画像処理ステップＳＴＰ２は、コンピューター３にインストールされている画像処理ソフトにより行うことができる。
【００２１】
背景印刷ステップＳＴＰ３は、背景画像データにより原版用紙に背景画像を印刷し、背景付原版用紙を作成する工程である。この背景印刷ステップＳＴＰ３における印刷手段としては、プリンター５が用いられ、背景画像がカラーの場合はカラーインクジェットプリンター、カラーレーザープリンター等が用いられる。このプリンター５としては、６００ｄｐｉ以上の高解像度のものが好ましく、作成される書複製品の品質を向上することができる。また、背景画像を印刷する原版用紙としては、プリンター５の印刷形式に対応した用紙でかつ書の記入に好適な用紙が選択され、例えばインク受像層が積層された和紙（インクジェットプリンター対応和紙）等が好適に使用される。
【００２２】
書入ステップＳＴＰ４は、背景付原版用紙に書家が書を記入し、図５に示すような原版を作成する工程である。この書入ステップＳＴＰ４で背景付原版用紙に書き入れられる書の内容は、書家の芸術性に委ねられるが、背景画像をモチーフとして書家の創作性が向上すると思われる。
【００２３】
原版取得ステップＳＴＰ５は、書入ステップＳＴＰ４で作成された原版をスキャナー４で取り込み、原版画像データを取得する工程である。この原版取得ステップＳＴＰ５で使用するスキャナー４としては、特に限定されるものではないが、背景と書のバランスや書の濃淡、かすれ等を再現するためにはカラースキャナー、特に６００ｄｐｉ以上の高解像度のカラースキャナーが好ましい。
【００２４】
原版情報提供ステップＳＴＰ６は、原版取得ステップＳＴＰ５により取得した複数の原版画像データに関する情報をインターネットＸを介して複数のユーザーＵ１、Ｕ２に提供する工程である。原版情報提供ステップＳＴＰ６は、具体的には、原版取得ステップＳＴＰ５により取得した複数の原版画像データをデータベース２に蓄積し、このデータベース２に蓄積した複数の原版画像データに関する情報（原版画像データの圧縮データ、題名、管理番号等）を掲載したウェブページをサーバー１に作成し、インターネットＸを介して複数のユーザーＵ１、Ｕ２がアクセス及び閲覧可能に構成する。この原版情報提供ステップＳＴＰ６において、複数の原版画像データに関する情報の提示方法としては、書複製品の内容を季節、書風、背景画像の種類等のジャンルに分類し、ジャンル毎に提示するとよく、これによりインターネットＸを介して複数のユーザーＵ１、Ｕ２が嗜好に合致した書複製品を容易にサーチすることができる。
【００２５】
なお、ユーザーＵ１、Ｕ２からの注文を受注する方法としては、インターネットＸを介してサーバー１のウェブページ上で申し込みを受け付けるよう当該システムを構成するとよく、その他に電話、申し込み葉書等により受注することも可能である。
【００２６】
複製印刷ステップＳＴＰ７は、ユーザーＵ１、Ｕ２からの注文に応じ、指定された原版画像データに基づいて複写用紙に原版画像を印刷し、書複製品を作成する工程である。この複製印刷ステップＳＴＰ７における印刷手段としては、上記背景印刷ステップＳＴＰ３と同様に、プリンター５が用いられ、背景画像がカラーの場合はカラーインクジェットプリンター、カラーレーザープリンター等が用いられる。このプリンター５としては、上記背景印刷ステップＳＴＰ３と同様に、６００ｄｐｉ以上の高解像度のものが好ましく、作成される書複製品の品質を向上することができる。また、原版画像を印刷する複写用紙としては、プリンター５の印刷形式に対応した用紙でかつ書の記入に好適な用紙が選択され、例えばインク受像層が積層された和紙（インクジェットプリンター対応和紙）が好適に使用され、特に金箔、銀箔等の箔を混入して漉いたインクジェットプリンター対応和紙が好ましい。かかる複写用紙を使用することで、作成される書複製品の品質及び審美性を飛躍的に向上することができる。このインクジェットプリンター対応和紙のインク受像層は、インクジェットプリンターから発せられるインクを受け、吸収する層である。近年、インクジェット記録には安全性、記録特性等に優れる水性インキが好んで用いらるので、インク受像層には、この水性インクの吸収性及び初期乾燥性が良好となるように、吸水性の高い樹脂組成物を用いるのが好ましい。
【００２７】
なお、ユーザーＵ１、Ｕ２からの注文内容に複写用紙の種類を含ませ、複製印刷ステップＳＴＰ７において指定された複写用紙に原版画像データを印刷することも可能である。これにより、作成される書複製品をユーザーＵ１、Ｕ２の嗜好に対しより繊細に合致させることができる。
【００２８】
発送ステップＳＴＰ８は、複製印刷ステップＳＴＰ７で作成した書複製品を注文したユーザーＵ１、Ｕ２に発送する工程である。この発送ステップＳＴＰ８は、書複製品単体を発送してもよく、ユーザーＵ１、Ｕ２からの注文内容に額の種類を含ませ、指定された額に書複製品を装着してユーザーＵ１、Ｕ２に発送することも可能である。これにより、ユーザーＵ１、Ｕ２は、到着後直ぐに飾ることができ、手間が省かれる。なお、発送ステップＳＴＰ８における発送方法としては、特に限定されず、宅配等の公知の方法が採用される。
【００２９】
課金ステップＳＴＰ９は、書複製品を注文したユーザーＵ１、Ｕ２に対し、書複製品の代金を請求する工程である。この課金ステップＳＴＰ９は、発送ステップＳＴＰ８における書複製品の発送後又は発送と同時に行ってもよく、ユーザーＵ１、Ｕ２からの注文の際に行ってもよい。課金ステップＳＴＰ９における決済方法としては、特に限定されず、例えばクレジットカード、電子マネー等による決済、金融機関を利用した振込みによる決済、代金引換方式の発送による決済などがある。なお、上述のようにインターネットＸを介してサーバー１のウェブページ上でユーザーＵ１、Ｕ２から購入の申し込みを受け付けるよう当該システムを構成し、さらに料金の会計機能を有する決済システムを備え、課金ステップＳＴＰ９を注文又は発送と連動して行うよう構成するとよく、会計業務の効率化ひいては書複製品価格の低減化を促進することができる。
【００３０】
当該書複製品の作成・販売方法により作成した書複製品は、書の背景に画像処理された風景等の画像が印刷され、その上にその背景にマッチした書が記入されているため、従来のモノトーンを基調とする書と対比して、書の審美的な幅が格段に向上し、さらに複製による審美性の低下が抑制される。特に、背景画像をカラー印刷し、その上に書を墨書した場合、書部分が際だち、審美性が格段に高い書複製品を作成することができる。また、当該書複製品の作成・販売方法は、原版画像データに関する情報をインターネットＸを介して提供する原版情報提供ステップＳＴＰ６を有し、ユーザーＵ１、Ｕ２からの注文に応じて複製印刷ステップ、発送ステップ及び課金ステップを行うため、販売者は書複製品を予め用意せずにオンデマンドで販売することができ、かつユーザーＵ１、Ｕ２は多くのサンプルデータから嗜好に合致した書複製品を選択することができ、その結果、当該書複製品の高い審美性と相俟って、書の人気の回復に寄与することができる。
【００３１】
図６の書複製品の作成・販売方法は、生背景取得ステップＳＴＰ１、画像処理ステップＳＴＰ２、書取得ステップＳＴＰ１１、要素情報提供ステップＳＴＰ１２、画像合成ステップＳＴＰ１３、複製印刷ステップＳＴＰ１４、発送ステップＳＴＰ８及び課金ステップＳＴＰ９を有している。この生背景取得ステップＳＴＰ１、画像処理ステップＳＴＰ２、発送ステップＳＴＰ８及び課金ステップＳＴＰ９は、上記図１の書複製品の作成・販売方法と同様であるため、同一番号を付して説明を省略する。
【００３２】
書取得ステップＳＴＰ１１は、書家が白紙に記入した書をスキャナー４で取り込み、図７に示すような書画像データを取得する工程である。書取得ステップＳＴＰ１１で使用するスキャナー４としては、特に限定されるものではないが、書の濃淡、かすれ等を再現するためにはカラースキャナー、特に６００ｄｐｉ以上の高解像度のカラースキャナーが好ましい。
【００３３】
要素情報提供ステップＳＴＰ１２は、画像処理ステップＳＴＰ２により生成した複数の背景画像データ及び書取得ステップＳＴＰ１１により取得した複数の書画像データに関する情報をインターネットＸを介して提供する工程である。この要素情報提供ステップＳＴＰ１２は、具体的には、画像処理ステップＳＴＰ２により生成した複数の背景画像データ及び書取得ステップＳＴＰ１１により取得した複数の書画像データをデータベース２に蓄積し、このデータベース２に蓄積した複数の背景画像データ及び複数の書画像データに関する情報（背景画像データ及び書画像データの圧縮データ、それらの題名、管理番号等）を掲載したウェブページをサーバー１に作成し、インターネットＸを介して複数のユーザーＵ１、Ｕ２がアクセス及び閲覧可能に構成する。この要素情報提供ステップＳＴＰ１２において、複数の背景画像データに関する情報の提示方法としては、背景の対象、季節等のジャンルに分類し、ジャンル毎に提示するとよい。また、複数の書画像データに関する情報の提示方法としては、書の内容、書風等のジャンルに分類し、ジャンル毎に提示するとよい。これによりインターネットＸを介して複数のユーザーＵ１、Ｕ２が嗜好に合致した背景及び書の内容を容易にサーチすることができる。
【００３４】
なお、ユーザーＵ１、Ｕ２からの注文を受注する方法としては、上記図１の書複製品の作成・販売方法と同様に、インターネットＸを介してサーバー１のウェブページ上で申し込みを受け付けるようシステムを構成するとよく、その他に電話、申し込み葉書等により受注することも可能である。
【００３５】
画像合成ステップＳＴＰ１３は、ユーザーＵ１、Ｕ２からの注文に応じ、指定された背景画像データ及び書画像データを合成し、図８に示すような合成画像データを生成する工程である。なお、画像合成ステップＳＴＰ１３は、コンピューター３にインストールされている画像処理ソフトにより行うことができる。
【００３６】
複製印刷ステップＳＴＰ１４は、画像合成ステップＳＴＰ１３で生成した合成画像データにより複写用紙に合成画像を印刷し、書複製品を作成する工程である。この複製印刷ステップＳＴＰ１４における印刷手段及び複写用紙としては、上記複製印刷ステップＳＴＰ７と同様である。なお、ユーザーＵ１、Ｕ２からの注文内容に複写用紙の種類を含ませ、指定された複写用紙に合成画像データを印刷することも可能である。これにより、作成される書複製品をユーザーＵ１、Ｕ２の嗜好に対しより繊細に合致させることができる。
【００３７】
当該書複製品の作成・販売方法は、上記図１の書複製品の作成・販売方法と同様に、高い審美性及び低廉性を有する書複製品を作成・販売することができる。加えて、当該書複製品の作成・販売方法は、複数の背景画像データ及び複数の書画像データに関する情報をインターネットを介して提供し（要素情報提供ステップＳＴＰ１２）、ユーザーＵ１、Ｕ２からの注文に応じ、指定された背景画像データ及び書画像データを合成し（画像合成ステップＳＴＰ１３）、この合成画像データを複写用紙に印刷することで書複製品を作成することから（複製印刷ステップＳＴＰ１４）、ユーザーＵ１、Ｕ２は背景画像及び書画像毎に選択することができ、その結果ユーザーＵ１、Ｕ２の嗜好及び美的感覚にきめ細やかに合致する書複製品を作成・販売することができる。
【００３８】
なお、本発明の書複製品の作成・販売方法は上記実施形態に限定されるものではない。例えば、原版情報提供ステップを有しなくてもよく、例えば画集、カタログ、広告等を利用して販売することも可能である。また、背景取得ステップとしては、上記生背景取得ステップ及び画像処理ステップを有しなくてもよく、書の背景として適切な背景画像データが取得できれば他の方法も採用される。
【００３９】
さらに、複製印刷ステップで作成した書複製品にその書家が捺印する押印ステップを有するとよい。当該書複製品の作成・販売方法で作成する書複製品は従来の絵画複製品であるリトグラフやシルクスクリーン等と同様の美術的価値を有するため、当該方法のように複製品にその書家が捺印する押印ステップを有することで、得られる書複製品の著作性及び美術的価値を高めることができる。
【産業上の利用可能性】
【００４０】
以上のように、本発明の書複製品の作成・販売方法は、書複製品の品質の向上に有用であり、かつインターネットを利用した書複製品の売買に有用である。
【図面の簡単な説明】
【００４１】
【図１】本発明の一実施形態に係る書複製品の作成・販売方法を示すフロー図
【図２】図１の書複製品の作成・販売方法のシステム構成例を示すブロック図
【図３】図１の書複製品の作成・販売方法の背景取得ステップで取得した生背景画像を示す模式図
【図４】図１の書複製品の作成・販売方法の画像処理ステップで生成した背景画像を示す模式図
【図５】図１の書複製品の作成・販売方法の原版取得ステップで取得した原版画像を示す模式図
【図６】図１の書複製品の作成・販売方法とは異なる形態に係る書複製品の作成・販売方法を示すフロー図
【図７】図６の書複製品の作成・販売方法の書取得ステップで取得した書画像を示す模式図
【図８】図６の書複製品の作成・販売方法の画像合成ステップで合成した合成画像を示す模式図
【符号の説明】
【００４２】
１  サーバー
２  データベース
３  コンピューター
４  スキャナー
５  プリンター
６  デジタルカメラ
Ｘ  インターネット
ＳＴＰ１  生背景取得ステップ
ＳＴＰ２  画像処理ステップ
ＳＴＰ３  背景印刷ステップ
ＳＴＰ４  書入ステップ
ＳＴＰ５  原版取得ステップ
ＳＴＰ６  原版情報提供ステップ
ＳＴＰ７  複製印刷ステップ
ＳＴＰ８  発送ステップ
ＳＴＰ９  課金ステップ
ＳＴＰ１１  書取得ステップ
ＳＴＰ１２  要素情報提供ステップ
ＳＴＰ１３  画像合成ステップ
ＳＴＰ１４  複製印刷ステップ
【図１】
2009080754.tif 000003
【図２】
2009080754.tif 000004
【図６】
2009080754.tif 000005
【図３】
2009080754.tif 000006
【図４】
2009080754.tif 000007
【図５】
2009080754.tif 000008
【図７】
2009080754.tif 000009
【図８】
2009080754.tif 000010